(57)【要約】【課題】光コネクタへの単心の光ファイバ心線挿入時には光ファイバ心線のたわみを抑制して光ファイバ挿入操作を容易に行うことができ、光ファイバ素線間に接触圧力を発生させる時に光ファイバ心線にたわみ空間を形成するようにした光コネクタを提供する。【解決手段】スライド部材がスライドしてスライド部材の広幅部がＶ溝部に面した時にＶ溝部の上面を閉塞してＶ溝部とこの広幅部とによって光ファイバのたわみ抑制空間部を形成し、スライド部材がスライドしてスライド部材の狭幅部がＶ溝部に面した時にＶ溝部の上方を開放してＶ溝部とこの狭幅部とによって光ファイバのたわみ空間部を形成する。【選択図】図４
2010175760.tif 000002
【特許請求の範囲】
【請求項１】
光ファイバ素線を備え、該光ファイバ素線を被覆する光ファイバ心線を保持する第一の光コネクタと、該光ファイバ素線に当接される相手方の光ファイバ素線を備え、該光ファイバ素線を被覆する光ファイバ心線を保持する第二の光コネクタから構成され、第一の光コネクタは、ハウジングと、該ハウジングの内部に形成された空間部に収納された光ファイバ保持部材とから形成され、該光ファイバ保持部材の内部に形成された挿通孔を光ファイバ心線が挿通するように形成され、この挿通する光ファイバ心線が前記光ファイバ保持部材の内部に配設されるようにされた光コネクタにおいて、
前記光ファイバ心線のたわみが、第一のコネクタのフェルールを挿通する光ファイバ素線の、挿通先の端面からわずかに突き出した部分が第一のコネクタのフェルールと第二のコネクタのフェルールの端面どうしの当接によって第一のコネクタのフェルールの内部方向に押し戻されたことによって形成され、この押し戻されたことによって形成された前記光ファイバ心線のたわみによって双方の光ファイバ素線の接続がなされるようにされ、
前記光ファイバ保持部材内に、光ファイバ心線のたわみ抑制部を有し、前記光ファイバ保持部材内を移動可能に形成された、光ファイバ心線のたわみ空間部形成部材を備え、該たわみ空間部形成部材が光ファイバ心線を前記たわみ抑制部のたわみ抑制状態を解放して、移動させられたことによって光ファイバ心線のたわみ空間部を形成すること
を特徴とする光コネクタ。
【請求項２】
請求項１において、前記たわみ空間部形成部材は、光ファイバ心線の長手方向に対してたわみ方向に前記光ファイバ保持部材内を移動され、所定の固定位置では光ファイバ心線のたわみ抑制部で抑制し、移動位置では移動させられることによって光ファイバ心線のたわみ空間部を形成することを特徴とする光コネクタ。
【請求項３】
請求項１において、前記たわみ空間部形成部は、光ファイバ心線の長手方向に対して前記光ファイバ保持部材内を回転移動され、所定の回転位置では光ファイバ心線のたわみをたわみ抑制部で抑制し、回転位置では回転移動させられることによって光ファイバ心線のたわみ空間部を形成することを特徴とする光コネクタ。
【請求項４】
光ファイバ素線を備え、該光ファイバ素線を被覆する光ファイバ心線を保持する第一の光コネクタと、該光ファイバ素線に当接される相手方の光ファイバ素線を備え、該光ファイバ素線を被覆する光ファイバ心線を保持する第二の光コネクタとから構成される光コネクタにおいて、
第一の光コネクタは、ハウジングと、該ハウジングの内部に形成された空間部に収納される光ファイバ保持部材とから形成され、
前記光ファイバ保持部材には広幅部および狭幅部によって段差が形成され、前記狭幅部にスライド部材収納穴および該スライド部材収納穴に面してＶ溝部が形成され、
前記スライド部材収納穴には穴方向にスライド可能であって、広幅部および狭幅部が形成されたスライド部材が収納され、
前記スライド部材がスライドして前記スライド部材の広幅部が前記Ｖ溝部に面した時に前記Ｖ溝部の上端を閉塞して前記Ｖ溝部と該広幅部とによって光ファイバ心線のたわみ抑制空間部を形成し、前記スライド部材がスライドして前記スライド部材の狭幅部が前記Ｖ溝部に面した時に前記Ｖ溝部の上方を開放して前記Ｖ溝部と該狭幅部とによって光ファイバ心線のたわみ空間部を形成すること
を特徴とする光コネクタ。
【請求項５】
請求項４において、前記Ｖ溝部を形成する一方の傾斜面を延長して前記スライド収納穴の広幅部を形成する広幅面が形成され、該広幅面に前記スライド部材の広幅部を形成する広幅面が係合し、該係合した時に前記たわみ抑制空間が形成されることを特徴とする光コネクタ。
【請求項６】
請求項５において、前記スライド部材がスライドして、前記スライド部材の狭幅部が前記Ｖ溝部の上端に位置された時に、前記たわみ空間部が形成されることを特徴とする光コネクタ。
【請求項７】
請求項４から６のいずれかにおいて、第一のコネクタのフェルールを挿通する光ファイバ素線は、挿通した時に、該フェルールの挿通先の端面からわずかに突出させられた配置とされることを特徴とする光コネクタ。
【請求項８】
光ファイバ素線を備え、該光ファイバ素線を被覆する光ファイバ心線を保持する第一の光コネクタと、該光ファイバ素線に当接される相手方の光ファイバ素線を備え、該光ファイバ素線を被覆する光ファイバ心線を保持する第二の光コネクタから構成され、第一の光コネクタは、ハウジングと、該ハウジングの内部に形成された空間部に収納された光ファイバ保持部材とから形成され、該光ファイバ保持部材の内部に形成された挿通孔を光ファイバ心線が挿通するように形成され、この挿通する光ファイバ心線が前記光ファイバ保持部材の内部に配設されるようにされた光コネクタを用いた光ファイバ心線の接合方法において、
前記光ファイバ心線のたわみを、第一のコネクタのフェルールを挿通する光ファイバ素線の、挿通先の端面からわずかに突き出した部分が第一のコネクタのフェルールと第二のコネクタのフェルールの端面どうしの当接によって第一のコネクタのフェルールの内部方向に押し戻されたことによって形成し、この押し戻されたことによって形成された前記光ファイバ心線のたわみを前記たわみ空間部に収納して位置決めし、位置決めされたたわみによって双方の光ファイバ素線の当接がなされるようになし、
前記保持部内に、光ファイバ心線の挿通部を有し、前記保持部材内に移動可能に形成された、光ファイバ心線のたわみ空間部形成部材によって光ファイバ心線を抑制しつつ光ファイバ心線を挿通させ、前記挿通部に収納し、光ファイバ心線どうしの当接がなされる時に、形成されたたわみ空間部が形成された挿通部に、収納した抑制状態を解放して光ファイバ心線のたわみを収納するようにしたこと
を特徴とする光コネクタを用いた光ファイバ心線の接合方法。
【発明の詳細な説明】
【技術分野】
【０００１】
本発明は、光ファイバを固定する光コネクタおよび光ファイバ心線の接合方法に関する。
【背景技術】
【０００２】
被覆の除去により露出させた光ファイバの先端を切断する処理を施した光ファイバ心線の先端を光コネクタ部の後端から挿入し、光ファイバ心線の端面を相手方の光ファイバ素線の端面と突き合わせた後、この突き合わせ部分を固定することによって、光ファイバを光コネクタに接続することを行っている。
【０００３】
特許文献１には、光ファイバにたわみを発生させて座屈荷重を得るようにした構造が記載されている。
【０００４】
特許文献２には、光ファイバ素線が載置される溝部に光ファイバ素線を押さえ付ける開閉自在の素線押さえ部を設けて光ファイバ素線をしっかりと固定して光ファイバのたわみ量を管理するようにした素線ホルダが記載されている。
【０００５】
特許文献３には、光コネクタ内部で光ファイバ素線が傾斜面で反され湾曲されるようにした構造が記載されている。
【０００６】
特許文献４には、挿通孔に連通し、境界部のたわみを規制するたわみ規制孔を設けた光コネクタが記載されている。
【０００７】
特許文献５、６にはたわみ空間部を形成することが記載されている。
【先行技術文献】
【特許文献】
【０００８】
【特許文献１】特開２００５−７７８４６号公報
【特許文献２】特開２００７−１２１８８８号公報
【特許文献３】特開２００１−２０８９３８号公報
【特許文献４】特開２００７−１２１８４３号公報
【特許文献５】特許第３９６５７８３号公報
【特許文献６】特開平１１−１４２６８９号公報
【発明の概要】
【発明が解決しようとする課題】
【０００９】
従来から光ファイバにたわみを発生させて、たわみによる座屈荷重によって相対峙する二つの光ファイバ心線を固定することが行われている。そして、このたわみ量を管理することが提案されている。これらの従来例にあっては、光ファイバ心線の端面相互間に一定の接触圧を発生させるために光ファイバ心線にたわみを許容する空間部が光ファイバ心線の挿入時あるいは載置時の当初から固定して設けられていて、光ファイバ挿入時における光ファイバ挿入操作の容易さ、接触圧発生時におけるたわみ空間の生成とを勘案した機能に適した配慮がなされていない。たわみ空間は接触圧発生時に生成されることが重要であり、挿入時には必要とされない。
【００１０】
本発明は、かかる点に鑑みてなされたもので、光コネクタへの単心もしくは複数の光ファイバ心線挿入時には光ファイバ心線のたわみを抑制して光ファイバ挿入操作を容易に行うことができ、光ファイバ素線間に接触圧力を発生させる時に光ファイバ心線にたわみ空間を形成するようにした光コネクタを提供することを目的とする。
【課題を解決するための手段】
【００１１】
本発明は、光ファイバ素線を備え、該光ファイバ素線を被覆する光ファイバ心線を保持する第一の光コネクタと、該光ファイバ素線に当接される相手方の光ファイバ素線を備え、該光ファイバ素線を被覆する光ファイバ心線を保持する第二の光コネクタから構成され、第一の光コネクタは、ハウジングと、該ハウジングの内部に形成された空間部に収納された光ファイバ保持部材とから形成され、該光ファイバ保持部材の内部に形成された挿通孔を光ファイバ心線が挿通するように形成され、この挿通する光ファイバ心線が前記光ファイバ保持部材の内部に配設されるようにされた光コネクタにおいて、
前記光ファイバ心線のたわみが、第一のコネクタのフェルールを挿通する光ファイバ素線の、挿通先の端面からわずかに突き出した部分が第一のコネクタのフェルールと第二のコネクタのフェルールの端面どうしの当接によって第一のコネクタのフェルールの内部方向に押し戻されたことによって形成され、この押し戻されたことによって形成された前記光ファイバ心線のたわみによって双方の光ファイバ素線の接続がなされるようにされ、
前記光ファイバ保持部材内に、光ファイバ心線のたわみ抑制部を有し、前記光ファイバ保持部材内を移動可能に形成された、光ファイバ心線のたわみ空間部形成部材を備え、該たわみ空間部形成部材は光ファイバ心線を前記たわみ抑制部のたわみ抑制状態を解放して、移動させられたことによって光ファイバ心線のたわみ空間部を形成すること
を特徴とする光コネクタを提供する。
【００１２】
本発明は、また、前記たわみ空間部形成部材は、光ファイバ心線の長手方向に対してたわみ方向に前記光ファイバ保持部材内を移動され、所定の固定位置では光ファイバ心線のたわみ抑制部で抑制し、移動位置では移動させられることによって光ファイバ心線のたわみ空間部を形成することを特徴とする光コネクタを提供する。
【００１３】
本発明は、また、前記たわみ空間部形成部は、光ファイバ心線の長手方向に対して前記光ファイバ保持部材内を回転移動され、所定の回転位置では光ファイバ心線のたわみをたわみ抑制部で抑制し、回転位置では回転移動させられることによって光ファイバ心線のたわみ空間部を形成することを特徴とする光コネクタを提供する。
【００１４】
本発明は、光ファイバ素線を備え、該光ファイバ素線を被覆する光ファイバ心線を保持する第一の光コネクタと、該光ファイバ素線に当接される相手方の光ファイバ素線を備え、該光ファイバ素線を被覆する光ファイバ心線を保持する第二の光コネクタとから構成される光コネクタにおいて、
第一の光コネクタは、ハウジングと、該ハウジングの内部に形成された空間部に収納される光ファイバ保持部材とから形成され、
前記光ファイバ保持部材には広幅部および狭幅部によって段差が形成され、前記狭幅部にスライド部材収納穴および該スライド部材収納穴に面してＶ溝部が形成され、
前記スライド部材収納穴には穴方向にスライド可能であって、広幅部および狭幅部が形成されたスライド部材が収納され、
前記スライド部材がスライドして前記スライド部材の広幅部が前記Ｖ溝部に面した時に前記Ｖ溝部の上端を閉塞して前記Ｖ溝部と該広幅部とによって光ファイバ心線のたわみ抑制空間部を形成し、前記スライド部材がスライドして前記スライド部材の狭幅部が前記Ｖ溝部に面した時に前記Ｖ溝部の上方を開放して前記Ｖ溝部と該狭幅部とによって光ファイバ心線のたわみ空間部を形成すること
を特徴とする光コネクタを提供する。
【００１５】
本発明は、また、前記Ｖ溝部を形成する一方の傾斜面を延長して前記スライド収納穴の広幅部を形成する広幅面が形成され、該広幅面に前記スライド部材の広幅部を形成する広幅面が係合し、該係合した時に前記たわみ抑制空間が形成されることを特徴とする光コネクタを提供する。
【００１６】
本発明は、また、前記スライド部材がスライドして、前記スライド部材の狭幅部が前記Ｖ溝部の上端に位置された時に、前記たわみ空間部が形成されることを特徴とする光コネクタを提供する。
【００１７】
本発明は、また、前記いずれかにおいて、第一のコネクタのフェルールを挿通する光ファイバ素線は、挿通した時に、該フェルールの挿通先の端面からわずかに突出させられた配置とされることを特徴とする光コネクタを提供する。
【００１８】
本発明は、光ファイバ素線を備え、該光ファイバ素線を被覆する光ファイバ心線を保持する第一の光コネクタと、該光ファイバ素線に当接される相手方の光ファイバ素線を備え、該光ファイバ素線を被覆する光ファイバ心線を保持する第二の光コネクタから構成され、第一の光コネクタは、ハウジングと、該ハウジングの内部に形成された空間部に収納された光ファイバ保持部材とから形成され、該光ファイバ保持部材の内部に形成された挿通孔を光ファイバ心線が挿通するように形成され、この挿通する光ファイバ心線が前記光ファイバ保持部材の内部に配設されるようにされた光コネクタを用いた光ファイバ心線の接合方法において、
前記光ファイバ心線のたわみを、第一のコネクタのフェルールを挿通する光ファイバ素線の、挿通先の端面からわずかに突き出した部分が第一のコネクタのフェルールと第二のコネクタのフェルールの端面どうしの当接によって第一のコネクタのフェルールの内部方向に押し戻されたことによって形成し、この押し戻されたことによって形成された前記光ファイバ心線のたわみを前記たわみ空間部に収納して位置決めし、位置決めされたたわみによって双方の光ファイバ素線の当接がなされるようになし、
前記保持部内に、光ファイバ心線の挿通部を有し、前記保持部材内に移動可能に形成された、光ファイバ心線のたわみ空間部形成部材によって光ファイバ心線を抑制しつつ光ファイバ心線を挿通させ、前記挿通部に収納し、光ファイバ心線どうしの当接がなされる時に、形成されたたわみ空間部が形成された挿通部に、収納した抑制状態を解放して、光ファイバ心線のたわみを収納するようにしたこと
を特徴とする光コネクタを用いた光ファイバ心線の接合方法を提供する。
【発明の効果】
【００１９】
本発明は、上述したように、たわみ空間部形成部材が移動操作された時に、光ファイバ心線のたわみ抑制空間部からたわみ空間部を形成するようにしているので、光ファイバの挿入時にはたわみ抑制空間を利用して光ファイバの挿入操作を行い、接触圧発生時にたわみ空間を生成させて光ファイバ心線をたわませることができる。このように、挿入操作を容易に行うことができると共に、接触圧力発生時には光ファイバのたわみを許容することによって光ファイバ素線間に所定の接触圧を発生させることができる。
【００２０】
また、本発明は、上述したように、スライド部材がスライドしてスライド部材の広幅部がＶ溝部に面した時に前記Ｖ溝部の上端を閉塞してＶ溝部とこの広幅部とによって光ファイバ心線のたわみ抑制空間部を形成し、スライド部材がスライドしてスライド部材の狭幅部がＶ溝部に面した時にＶ溝部の上方を開放してＶ溝部とこの狭幅部とによって光ファイバ心線のたわみ空間部を形成するようにしているので、光ファイバの挿入時にはたわみ抑制空間を利用して光ファイバの挿入操作を行い、接触圧発生時にたわみ空間を生成させて光ファイバ心線をたわませることができる。このように、挿入操作を容易に行うことができると共に、接触圧力発生時には光ファイバのたわみを許容することによって光ファイバ素線間に所定の接触圧を発生させることができる。
【図面の簡単な説明】
【００２１】
【図１】本発明の実施例の構成を示す図で、図１（ａ）はその外観を、そして図１（ｂ）は長手方向断面を示す図。図１（ｃ）は突出部およびその収納方法を示す図。
【図２】クサビで構成を示す図で、図２（ａ）は光ファイバ心線を固定している状態を示し、図２（ｂ）は挿通孔が拡張される状態を示す。
【図３】図１の構成において、光ファイバ心線のたわみ空間部の形成位置を示す図で、図３（ａ）はその外観を、そして図３（ｂ）は長手方向断面図を示す図。
【図４】光ファイバ心線たわみ形成部の詳細を示し、図４（ａ）はたわみ抑制空間部の形成方法を、そして図４は（ｂ）はたわみ空間部の形成方法を示す図。
【図５】図４に対応する図で、図５（ａ）は図４（ａ）の１部構成を拡大して示し、図５（ｂ）は図４（ｂ）の１部構成を拡大して示す図。
【図６】スライド部材の構成を示す図。
【図７】光ファイバ心線のたわみ状態を形成する図で、図７（ａ）は全体図、図７（ｂ）は一部詳細図。
【図８】光ファイバ心線にたわみ部を形成する方法についてのフローチャート図。
【図９】本発明の第２の実施例の構成を示す図。
【図１０】本発明の第３の実施例の構成を示す図。
【発明を実施するための形態】
【００２２】
以下、本発明の実施例を図面に基づいて説明する。
【実施例１】
【００２３】
図１は、本発明の実施例の光コネクタ１００の構成を示し、図１（ａ）はその外観を示し、図１（ｂ）は、図１（ａ）の光コネクタ１００の長手方向の断面を示す。本実施例において光コネクタで接続される光ファイバ心線は単心の光ファイバ心線を表示しているが、本実施例は複数の光ファイバ心線にも適用可能である。以下の例にあっては単心の光ファイバ心線を例にとって説明するが、単心の光ファイバ心線に限定されない。
【００２４】
これらの図において、光コネクタ１００は光ファイバ素線に被覆された光ファイバ心線を保持する第一の光コネクタ１と、この光ファイバ素線に接続される相手方の光ファイバ素線に被覆された光ファイバ心線を保持する第二の光コネクタから構成される。
【００２５】
第一の光コネクタ１は、ハウジング３と、ハウジング３の内部の空間部４と、ハウジング３の入口に設けたエンドキャップ５と、空間部４内に配置、収納される光ファイバ保持部材６（光ファイバ収納部材）と、光ファイバ保持部材６に隣接して空間部４内に配置されたフェルール７と、フェルール内の光ファイバ素線１４の周囲に設けられてこれを保護する保護部材６１と、光ファイバ保持部材６とフェルール７との間およびフェルール７とハウジング３との間で空間部４内に設けられた保持材６２と、で構成される。
【００２６】
エンドキャップ５は光ファイバ素線（光ファイバガラス）に被覆された光ファイバ心線１１を挿通させる挿通孔１２を有する。従って、ここではガラス光ファイバを光ファイバ素線および光ファイバ素線を樹脂で被覆したものを光ファイバ心線と定義し、番号１１で示す。
【００２７】
光ファイバ心線から被覆が切除された光ファイバ素線１４はフェルール７の内部の挿通孔１３（図では１４と同じに図示してある）を入口側から挿通し、反対側の出口部へと露出する。
【００２８】
相手方の第二の光コネクタは第一の光コネクタ１に外面を保持される形で収納される。第二の光コネクタは管部を有し、この管部の内部に円筒空間部を有し、前述のフェルール７に対向したフェルールを備える。このフェルールに設けた挿通孔からは相手方の光ファイバ素線の先端がフェルール７の光ファイバ素線１４に向けて露出する。両者間には光ファイバ心線位置合わせ部１０が形成される。図１（ｃ）に示すように、フェルール７から露出する光ファイバ素線１４の露出長さはフェルール先端から、例えば０．０５ｍｍとする。すなわち、光ファイバ素線１４はフェルール先端からわずかに突き出た形状となる。
【００２９】
このような形状を形成するに先立って第２の光コネクタが挿入される部分には、図１に示すように、位置合わせ用のプラグ２（あるいはキャップ）が挿入される。このプラグ２は先端部が三叉のフォーク状の突起６１，６２，６３をなし、それぞれが第一の光コネクタ１に設けた孔６１Ａ，６２Ａ，６３Ａに挿入される。
【００３０】
中央の突起６２はフェルール７の先端に接触するまで挿入され、突起６１，６３は孔６１Ａ，６３Ａの底まで到達しない。７２，７３は接触面を示す。突起６２の先端には図１（ｃ）に示すように凹部６４が形成してあり、光ファイバ素線１４Ａを収納することができる。プラグ２の他方部は円筒部１５をなし、この円筒空間部６５としている。この円筒空間部６５を中実としてもよい。
【００３１】
光ファイバ保持部材６にはエンドキャプ５に近接して光ファイバ心線固定部２０が形成される。
【００３２】
図２は、光ファイバ心線固定部２０の詳細を示す。
【００３３】
図２（ａ）に示すように、光ファイバ保持部材６は２つ割りにされた光ファイバ保持部材部６Ａ，６Ｂによって構成され、光ファイバ保持部材部６Ａ，６Ｂは押圧手段（図示せず）によって中央に押圧されて一体化されている。それらの接合面６Ｃ，６Ｄは山，谷状とされ、噛み合わされており、中央部に位置する山部、谷部との間に光ファイバ心線の通る挿通孔６Ｅが形成され、挿通孔６Ｅの中には光ファイバ心線１１が挿通する。
【００３４】
光ファイバ保持部材部６Ａ，６Ｂの下端部にはそれぞれ切欠部６Ｆ，６Ｇが形成され、１つの溝６Ｈを形成する。
【００３５】
溝６Ｈには外部からクサビ２１が挿入可能とされる。図２（ｂ）に溝６Ｈにクサビ２１を挿入した状態を拡大して示す。溝６Ｈの幅に比べてクサビ２１の幅は広く形成してあり、クサビ２１を挿入すると押圧力に抗してクサビ２１は溝６Ｈの幅を広げる。この時に、光ファイバ保持部材部６Ａ，６Ｂは左右に開かされ、これに伴なって挿通孔６Ｅも拡大する。このような状態で、光ファイバ心線１１の挿通孔６Ｅへの挿通がなされる。
【００３６】
挿通孔６Ｅで光ファイバ心線１１を固定する場合、図２（ａ）に示すように、クサビ２１を引き抜く。これによって光ファイバ心線１１は挿通孔６Ｅによって固定され、光ファイバ心線固定部２０が形成される。
【００３７】
このような状態を形成した後に、相対向する光ファイバ素線１４および１８の先端を当接させ、突出した部分を利用して光ファイバ心線１１をたわませる。以下、光ファイバ心線１１をたわませる方法について説明する。
【００３８】
図３において、ハウジング３および光ファイバ保持部材６には光ファイバ心線のたわみ空間部形成部材３０が形成される（図３（ａ））。図３（ｂ）に示すように光ファイバ心線のたわみを許容するたわみ空間部が光ファイバ心線固定部２０とフェルール７との間に形成される。この区間をたわみ空間と称する。
【００３９】
図４に光ファイバ心線のたわみ空間部形成部材３０の詳細を断面で示す。図４（ａ）は光ファイバ心線１１のたわみ抑制空間部５２（図５）を形成した状態を、そして、図４（ｂ）は光ファイバ心線１１のたわみ空間部５３（図５）を形成した状態を示す。図４において、ハウジング３にはその外方に継手保持部３１が設けられ、その内部の内部空間部３２には光ファイバ保持部材６が収納され、空間部３２内をわずかに摺動できるように形成される。内部空間部３２および光ファイバ保持部材６はほぼ断面正方形に形成され、図において右部に係合部３３が形成されている。
【００４０】
ハウジング３の下端部には光ファイバ心線１１を横切る方向（図で光ファイバ心線の長手方向に直角方向）に溝部３４が形成してあり、この溝部３４に連通するようにしてハウジング３および光ファイバ保持部材６には垂直方向にスライド部材収納穴３５が形成される。このスライド部材収納穴３５は本例の場合、光ファイバ保持部材６の上端にまで達し、貫通した形成となっている。スライド部材収納穴３５は上方に広幅部３６、下方に狭幅部３７が形成され、両者の間には段差が形成される。この段差部または段差部付近（図では段差部）において、広幅部３６の端にスライド部材収納穴３５に面してＶ溝部３８が形成される。
【００４１】
図５は、図４に示すＶ溝部３８の詳細を示す。このＶ溝部３８は、本例の場合、断面台形状をなすが機能的に見て光ファイバ心線（１１）を保持するためのものであり、対向し、傾斜する二面があれば足り、ここでは断面台形状のものも含めてＶ溝部と称することとする。
【００４２】
スライド部材収納穴３５にはこの内部を穴方向にスライド（摺動）可能なスライド部材４１が収納してある。
【００４３】
本例の場合、図６に示すように、スライド部４１は逆Ｌ字状をなし、このスライド部材４１は縦部４２と横部４３とで形成され、縦部４２が内部をスライドし、横部４３が溝部３４の上面に当接する。縦部４２は上方に広幅部４４が、そして下方に狭隔部４５が形成される。中央に窪み部４４Ａを備える。
【００４４】
図４において、Ｖ溝部３８を形成する下方の（一方の）傾斜面４６を延長してスライド部材収納穴３５の広幅部３６を形成する広幅面４７が形成される。この広幅面４７にはスライド部材４１の広幅部４４を形成する広幅面４８が係合可能とされる。
【００４５】
スライド部材収納穴３５上端部には、スライド部材４１に当接するようにフック４９が設けてあって、フック４９はスライド部材４１が広幅面４８が広幅面４７に当接するように作用している。以上のようにして光ファイバ心線のたわみ空間部形成部材３０が形成される。
【００４６】
図４（ａ）および図５（ａ）に示す状態では、スライド部材４１は広幅面４８が広幅面４７に当接して保持され、スライド部材４１に広幅部４４がＶ溝部３８に面してＶ溝部３８の上端（図では左側方開放端）５１を閉塞する。
【００４７】
このように、Ｖ溝部３８と広幅部４４とによってＶ溝部３８の上端５１を閉塞した形の光ファイバ心線のたわみ抑制空間部５２が形成される。この状態ではＶ溝部３８に収納された光ファイバ心線１１はＶ溝部３８に係合されると共に、たわもうとする力（変位）が抑制され、Ｖ溝部３８に挿入孔１２から挿入された光ファイバ心線１１はたわみが抑制されてフェルール７に向けてまっすぐに挿通可能とされることになる。
【００４８】
次に、光ファイバ心線１１がたわみ抑制空間部５２を挿通され、フェルール７およびプラグ２との間で光ファイバ心線位置合わせがなされる。プラグ２の突起６２は先端の平面部に凹部６４が形成してある。このような形状において、光ファイバ素線１４は相手方のプラグ２の凹部６４に収納される。この凹部６４の凹状形状は光ファイバ素線１４を収納し、光ファイバ素線１４の先端に当接しない形状としている。光ファイバ素線１４を収納するフェルール７が相手方のプラグ２に当接すると、クサビ２１によって光ファイバ心線１１の光ファイバ保持部材６への固定が図２（ａ）に示すようにしてなされる。このような状態で、図４（ｂ）および図５（ｂ）において、スライド部材４１を上方に押し上げて横部４３を溝部３４の上面に当接させ固定させると、スライド部材４１がスライドしてスライド部材４１の狭幅部４５がＶ溝部３８の上端５１に面する。この時に、狭幅のために、狭幅部４５すなわちスライド部材４１はＶ溝部３８の上方が開放される。このようにしてＶ溝部３８と狭幅部４５とによって光ファイバ心線１１のたわみ空間部、すなわちたわみ許容空間部が形成される。狭幅部４５の狭幅を調整することによってたわみ許容量を調整することができる。このように、スライド部材４１がスライドして、スライド部材４１の狭幅部４５がＶ溝部３８の上端に位置すると、すなわちスライド部材４１の広幅部４４が移動して広幅部４４が形成する広幅面４８がスライド収納穴３５の広幅部３６の面上に位置した時、たわみ空間部５３が形成され、抑制空間部５２による光ファイバ心線１１の抑制状態が解放される。このたわみ空間部５３にはたわんだ光ファイバ心線１１がたわんで収納されることになる。
【００４９】
このようにして、光ファイバ心線１１に対するクサビ２１による光ファイバ保持部材６への固定およびたわみ空間部５３の形成を行った後に、図７（ａ），図７（ｂ）に示すように、プラグ２を光コネクタ１から排出して、相手方となる第２の光コネクタのフェルール７１（接続相手方のフェルール）を挿入して、光ファイバ素線７２を光ファイバ素線１４に当接させる。光ファイバ素線１４は挿通孔の長手方向（孔方向）の外方に向けて押し戻され、フェルール７およびフェルール７１の先端どうしが当接するまで外方に向けて移動する。光ファイバ素線１４はフェルール７内において保護材６１によってたわみが抑制されているので、外方に向けての移動は、光ファイバ心線１１のたわみ空間部５３でたわむことによって形成されたたわみとして吸収される。図７（ａ）はたわみ空間部で光ファイバ心線１１がたわんでいる状態を示す。
【００５０】
このように、光ファイバ心線１１のたわみが、第一のコネクタ１のフェルール７を挿通する光ファイバ素線１４の、挿通先の端面からわずかに突き出した部分が第一のコネクタ１のフェルール７と相手方の第二のコネクタのフェルール７１の端面どうしの当接によって第一のコネクタ１のフェルール７の内部方向に押し戻されたことによって形成される。
【００５１】
光ファイバ心線１１のこのたわみによる座屈荷重、すなわち元に戻ろうとする弾性力によって光ファイバ素線１４は相手方の光ファイバ素線に向けて押圧され、両者の光ファイバ素線の接合が一定の圧下の下、常に良好になされることとなる。
【００５２】
このようにして、光ファイバ心線１１について、クサビ２１のような固定手段によって光ファイバ保持部材６への固定を行い、たわみ抑制空間部５２を拡張してたわみ空間部５３を新たに形成した後に、光ファイバ保持部材６を介して光ファイバ素線１４を内方にその突出長さだけ引き戻し移動させることによってたわみ空間部５３に光ファイバ心線１１にたわみを形成し、光ファイバ素線間に接触圧力を形成することが出来る。
【００５３】
以上のように、挿通する光ファイバ心線が光ファイバ保持部材の内部に配設されるようにされ、光ファイバ心線のたわみを、第一のコネクタのフェルールを挿通する光ファイバ素線の、挿通先の端面からわずかに突き出した部分が第一のコネクタのフェルールと第二のコネクタのフェルールの端面どうしの当接によって第一のコネクタのフェルールの内部方向に押し戻されたことによって形成し、この押し戻されたことによって形成された前記光ファイバ心線のたわみを前記たわみ空間部に収納して治工具を用いて位置決めし、このたわみによって双方の光ファイバ素線の当接を行って、光ファイバ心線の接合を行うようにしている。
【００５４】
図８は、コネクタの組み立てによって光ファイバ心線にたわみ部を形成する方法について示すフローチャートである。
【００５５】
図８において、光ファイバ心線をコネクタの第一のコネクタ部に挿入する。この時に、たわみを抑制しつつコネクタ内に固定して配置してあるプラグにフェルール心線の先端を突き当てる（Ｓ１）。そして、光ファイバ素線をフェルールに挿入した時に、フェルール端から光ファイバ素線をわずかに突き出して突き出した形状の突出部を形成する（Ｓ２）。
【００５６】
光ファイバ心線被覆を光ファイバ心線固定部によって把持固定する（Ｓ３エンドキャップをコネクタから取り出し（Ｓ６）、相手方となる第二のコネクタ部をコネクタに挿入し（Ｓ７）、抑制を解放して、たわみ空間を形成し、フェルール端から突き出された光ファイバ素線の突き出しを内方へ押し込む（Ｓ８）。この押し込みによってファイバたわみ空間で光ファイバ心線のたわみを生成する（Ｓ９）。光ファイバ心線のたわみにより光ファイバ素線どうしの接触力を確保する（Ｓ１０）。
【実施例２】
【００５７】
図９は、第２の実施例を示す図である。図９（ａ）は所定の状態を示し、図９（ｂ）は操作の状態を示し、図９（ａ）は第１の実施例の図１（ｂ）に対応し、図９（ｂ）は図７に対応する。
【００５８】
図９は、光ファイバ心線のたわみ空間部を形成するためのたわみ空間部形成部材の構成とその挙動について示し、第１の実施例と同一構成には同一の番号を付してあり、それらの説明は第１の実施例の説明が援用されるものとする。
【００５９】
第１の実施例では、光ファイバ保持部材には広幅部および狭幅部によって段差が形成され、狭幅部にスライド部材収納穴およびこのスライド部材収納穴に面してＶ溝部が形成され、スライド部材収納穴には穴方向にスライド可能であって、広幅部および狭幅部が形成されたスライド部材が収納されて、光ファイバ心線のたわみ空間部形成部材３０を備えた。図９に示す第２の実施例ではスライド形式のたわみ空間部形成部材２０に代えて、図９において上下方向に移動可能なたわみ空間部形成部材３０を備える。光ファイバ心線固定部２０の構成は、図２に示すと同様の構成でよく、光ファイバ保持部材６に対して固定部材８６を設けることによって光ファイバ心線１１を固定している。図９では一方の光ファイバ心線１１が記述してあるが、複数本整列した複数本光ファイバ心線に適用できることは第１の実施例と同様である。
【００６０】
図９に示す例にあっては、光ファイバ保持部材６内に、光ファイバ心線１１のたわみ抑制部８１となる抑え面を有し、光ファイバ保持部材６内を移動可能に形成された光ファイバ心線のたわみ空間部形成部８０を有するたわみ空間部形成部材３０が設けられる。図９に示す例にあっては、たわみ空間部形形成部８０は右手に伸びる把手８２を備える。
【００６１】
たわみ空間部材２０は、光ファイバ心線１１の長手方向に対して、把手８２によって長手方向に垂直もしくは水平方向の直角方向、すなわちたわみ方向に移動可能とされる。図９（ａ）に示す例にあっては垂直方向の上下方向に移動させている。
【００６２】
このような構成の下で、図９（ａ）に示すたわみ空間部形成部材３０が所定の固定位置に設置され、光ファイバ心線１１を挿入操作Ａする場合には、光ファイバ心線１１は挿入時にたわみ抑制部８１によってたわみが抑制され、挿入がスムーズになされ、挿入部に収納される。
【００６３】
このようにして、第１の実施例と同様に、光ファイバ心線１１のたわみが、第一のコネクタのフェルールを挿通する光ファイバ素線１４の、挿通先の端面からわずかに突き出した部分が第一のコネクタのフェルールと第二のコネクタのフェルールの端面どうしの当接（接触）によって（操作Ｃ）、第一のコネクタのフェルールの内部方向に押し戻されることによって形成され、この押し戻されたことによって形成された光ファイバ心線のたわみによって双方の光ファイバ素線１４の接続がなされる。この場合に、光ファイバ保持部材６内に設けたたわみ空間部形成部材３０を把手８２を用いて図において上方、すなわちたわみ方向に移動させる（操作Ｂ）と、たわみ抑制部８２による抑制状態から抑制状態が解放され、図９（ｂ）に示すように、光ファイバ心線１１のたわみ空間部８３が形成され、この空間部８３に光ファイバ心線１１のたわむことが許容される。このようにして、たわみ空間部８３がたわみが必要とされる時に容易に形成される。移動に使用した把手８２を、ばね機能を有する継手部８４を介してたわみ空間部形成部８０に接続するようにして、光ファイバ保持部材６の一部に引っかけて固定するようにしておくようにすることができる。なお、操作はＡ→Ｂ→Ｃの順でなされる。
【実施例３】
【００６４】
図１０は、第３の実施例を示す図である。図１０（ａ）は所定の状態を示し、図１０（ｂ）は光ファイバ心線挿入状態の所定回転時における図１０（ａ）のＸ−Ｘ断面を示し、図１０（ｃ）はたわみ発生時の回転位置（回転角度）における操作の状態を示す。基本的には図９に示す構成、機能が同じであるが、図９に示す例にあってはたわみ空間部形成部材３０を光ファイバ心線１１の長手方向に対して直角方向への移動としているが、図１０に示す例にあっては光ファイバ心線１１の長手方向に対してたわみ空間部形成部材３０を回転可能としている。
【００６５】
図１０（ｂ）に示すように、光ファイバ心線挿入時（操作Ａ時）にあっては、光ファイバ心線１１はたわみ空間部形成部８０の上表面に設けた溝８５と光ファイバ保持部材６の上方内面６Ａとによってたわみが抑制された状態で挿入がスムーズになされる。
【００６６】
図９（ｃ）に示すように、光ファイバ心線１１のたわみ発生時に、たわみ空間部形成部材３０を回転させる操作（操作Ｂ）を行うと、光ファイバ保持部材６の側方内面６Ｂとの間にたわみ空間部８３が形成される。
【００６７】
このように、光ファイバ保持部材６内に設けたたわみ空間部形成部材３０を回転手段（図示せず）によって回転させる（操作Ｂ）と、溝８５と内面６Ａとによって形成されたたわみ抑制部８２による抑制状態が解放されて、図１０（ｃ）に示すように、光ファイバ心線１１のたわみ空間部８３が形成され、光ファイバ心線１１のたわみが形成されることが許容される。このように、たわみ空間部８３が、たわみが必要とされる時に形成されることになる。
【符号の説明】
【００６８】
１…第一の光コネクタ、２…プラグ、３…ハウジング、４…空間部、５…エンドキャップ、６…光ファイバ保持部材、７…フェルール、１０…光ファイバ心線空き合位置合わせ部、１１…光ファイバ心線、１３…挿通孔、１４…光ファイバ素線、１７…光ファイバ素線、２０…光ファイバ心線固定部、２１…クサビ、２２…クサビ挿入孔、３０…光ファイバ心線のたわみ空間部形成部材、３５…スライド部材収納穴、３６…広幅部、３７…狭幅部、３８…Ｖ溝部、４１…スライド部材、４４…広幅部、４５…狭幅部、４９…フック、５１…Ｖ溝部の上端（開放端）、５２…たわみ抑制空間部、５３…たわみ空間部（たわみ許容空間部）、７１…相手方のフェルール、７２…相手方の光ファイバ素線。
【図１】
2010175760.tif 000003
【図２】
2010175760.tif 000004
【図３】
2010175760.tif 000005
【図４】
2010175760.tif 000006
【図５】
2010175760.tif 000007
【図６】
2010175760.tif 000008
【図７】
2010175760.tif 000009
【図８】
2010175760.tif 000010
【図９】
2010175760.tif 000011
【図１０】
2010175760.tif 000012